(57)【要約】      （修正有）【課題】カレンダー紙葉を収容すると共に携帯電話機を立て掛けることが出来るカレンダーケースを提供する。【解決手段】カレンダー紙葉が収容されるケース本体１は四角形の背板４に底片５と両側片６，６を有し、該底片５及び側片６，６には縁７，８，８を起立し、そして、該背板４には薄肉化した継手を介して旋回し、ケース本体１の後方へ延びるように出来る脚部を形成している。また背板４には薄肉化した継手部を介してベース板３を形成し、ベース板３は上面に突条を形成すると共に脚部先端とケース本体１の底片５に連結して取付けることが出来、携帯電話機をベース板３の上に載せて立掛けることが出来る。【選択図】図１
0003193855.tif 000002
【実用新案登録請求の範囲】
【請求項１】
カレンダー紙葉を収容すると共に携帯電話機を立て掛けることが出来るカレンダーケースにおいて、カレンダー紙葉が収容されるケース本体は四角形の背板に底片と両側片を有し、該底片及び側片には縁を起立し、そして、該背板には薄肉化した継手を介して旋回し、ケース本体の後方へ延びて起立するように出来る脚部を形成し、また上記背板には薄肉化した継手部を介して取外し可能としたベース板を形成し、該ベース板は上面に凸部を形成すると共に上記脚部先端とケース本体の底片に連結して取付けることが出来、携帯電話機をベース板の上に載せて立掛けることが出来るようにしたことを特徴とするカレンダーケース。
【請求項２】
上記ベース板の後方端に形成した穴に脚部先端に設けた突片を係合可能とし、またケース本体の底片下面に溝を形成し、該溝にベース板を嵌め、溝底に設けた突片を該ベース板の中央部に形成した穴に係合出来るようにした請求項１記載のカレンダーケース。
【考案の詳細な説明】
【技術分野】
【０００１】
本考案は携帯電話機を立て掛けるようにした卓上カレンダーケースに関するものである。
【背景技術】
【０００２】
テーブルや机の上に載置することが出来る卓上カレンダーは従来から多用され、その種類は色々知られている。例えば、暦欄と絵柄等を印刷した複数枚のカレンダー紙葉と、これらを収納して保持するプラスチック製のカレンダーケース本体とからなるものが一般的に知られている。そして、このようなカレンダーケース本体としては、プラスチックケースと一体に折畳み式脚部を設けたものや、プラスチックケースに収納したカレンダー紙葉群の一番下の板紙を脚部材とし、これに折畳み式脚部を設けたものなどがあり、使用時にはこの折畳み式脚部を起こすことでカレンダーケース本体が起立するように構成している。
【０００３】
特開２００５−１６１６６２号に係る「卓上カレンダー立」は、折畳み脚部を設けた脚板部と、脚板部の上辺側に連設した背板部と、脚板部の下辺側に幅板部を介して連設した枠板部と、枠板部の左右両サイドにそれぞれ幅板部を介して連設された差込みフラップとを有する一枚の板紙からなる。背板部を脚板部の前方に折り曲げてから、その背板部の上に重なるように枠板部を折り曲げるとともに差込みフラップを脚板部と背板部の間に差し込むことにより、背板部と枠板部の間にカレンダー紙葉群の収納空間を形成している。
【０００４】
特開２００８−６７９１３号に係る「表示ケース」は、ケースの基部となる背面部に薄肉部にて接続してケースと一体成形された1ヶ所以上の羽部と、該羽部根元付近に爪部を持ち、該羽部は折り曲げる事により、該爪部を乗り越し、折り曲げた位置にて羽部が元に戻りにくいように構成している。
【０００５】
一方、携帯電話機は現在の生活において欠くことが出来ない必需品の一つであり、常に身近に置かれる。そこで、机に座って事務をする際に携帯電話機を机やテーブル上に倒した状態で置いている場合も多いが、卓上ホルダーに立掛けた状態で載置する場合もある。例えば、特開２００６−３０３８５９号に係る「卓上ホルダー」、特開２００９−２９０６８１号に係る「携帯端末の卓上ホルダー」などが知られている。
【０００６】
ところで、パソコンなどを載せたテーブル上又は机上に、卓上カレンダーの他に携帯電話機のホルダーを配置することは、該テーブル面が狭くなり仕事に支障が生じる。
【特許文献１】特開２００５−１６１６６２号に係る「卓上カレンダー立」
【特許文献２】特開２００８−６７９１３号に係る「表示ケース」
【特許文献３】特開２００６−３０３８５９号に係る「卓上ホルダー」
【特許文献４】特開２００９−２９０６８１号に係る「携帯端末の卓上ホルダー」
【考案の開示】
【考案が解決しようとする課題】
【０００７】
このように、卓上カレンダーと携帯電話機を立て掛けるホルダーをテーブル上に別々に配置するにはスペース的に問題がある。本考案が解決しようとする課題はこの問題点であり、卓上カレンダーの他に携帯電話機を立て掛ける機能を備えたカレンダーケースを提供する。
【課題を解決するための手段】
【０００８】
本考案のカレンダーケースは携帯電話機を立て掛ける機能を備えたもので、該カレンダーケースはケース本体と２枚の脚部、及びベース板から構成している。ケース本体は四角形の背板の下辺には底片を、両側には側片を有し、そして底片の正面側には縁を起立して形成し、側片の正面側にも起立した縁を設けている。従って、該ケース本体には複数枚のカレンダー紙葉を収容出来る。
【０００９】
そして、ケース本体の背板には折畳み出来る２枚の脚部を設け、ケース本体は起立して後方へ延びる脚部にて転倒しないように支えられる。
一方、上記脚部の下端（先端）にはベース板が取付けられ、該ベース板はケース本体の底片から正面側へ延びている。その為に、底片の下面にはベース板が嵌るように、該ベース板の厚さに相当する切欠き溝が形成され、該ベース板の上面には凸部が突出して設けられ、ベース板の上に載せた携帯電話機は滑ることなく立掛けることが出来るように成っている。
【００１０】
ところで、上記脚部及びベース板はケース本体の背板の一部として形成され、脚部と背板との間に設けている継手を介して該脚部は旋回して起立することで後方へ延びることが出来る。ここで、後方へ延びて背板に対して垂直になったところで、元の位置に戻らないように係止するツメを必要に応じて設けることが出来る。
また、ベース板は背板の一部として形成され、背板から切り取られてケース本体の底片下面及び脚部先端に連結して取付けられ、外れないようにベース板に形成した穴には脚部先端と底片下面に設けた突片が係合する。
【考案の効果】
【００１１】
本考案のカレンダーケースは背板に取付けられて後方へ延びる脚部に支えられ、ケース本体は僅かに傾斜した状態で転倒しないように起立することが出来る。そして、ケース本体には複数枚のカレンダー紙葉を収容することが出来る。また、脚部先端と背板の底片に連結して取付け、正面側へ延びるベース板には携帯電話機を置いてケース本体に立掛けることが出来る。ベース板の上面には凸部が設けられることで、立掛けた携帯電話機が滑ることはなく安定して載置することが出来る。
【００１２】
ところで、上記脚部はケース本体の背板の一部として形成され、その為に背板との間に設けた継手を介して旋回することで起立し、背面側へ延びて支えることが出来る。また、ベース板も背板の一部として形成され、該背板から切り取ってケース本体の底片及び脚部先端に簡単に取付けることが出来る。
したがって、ケース本体には複数枚のカレンダー紙葉を収容し、脚部は折畳まれ背板と同一面となり、ベース板は背板に取付けられたままで、外観上はケース本体のみの薄い板状体と成る。従って、一定厚さの薄いケースに入れて販売することで、購入した人は簡単に組み立てて使うことが出来る。
【図面の簡単な説明】
【００１３】
【図１】本考案に係るカレンダーケースを示す正面側からの斜視図。
【図２】本考案に係るカレンダーケースを示す背面側からの斜視図。
【図３】脚部及びバース板が背板と同一面を成して形成されているケース本体の正面図。
【図４】脚部及びバース板が背板と同一面を成して形成されているケース本体の背面図。
【図５】カレンダーケースに携帯電話機を立て掛けた場合。
【図６】９０°旋回した脚部をツメに係止することで位置決めする場合。
【考案を実施するための形態】
【００１４】
図１、図２は本考案に係るカレンダーケースを示す実施例であり、正面側斜視図と背面側斜視図をそれぞれ表している。同図の１はケース本体、２ａ，２ｂは脚部、３はベース板を示し、ケース本体１は四角形の背板４の底に正面側へ突出する底片５を有し、両側には正面側へ突出する側片６，６を有している。そして、底片５の正面側には縁７を起立し、側片６，６の一部にも縁８，８を起立している。
【００１５】
したがって、上記背板４と縁７，８，８との間には一定の間隔が形成され、その為に背板４のサイズをした複数枚のカレンダー紙葉をケース本体１に収容することが出来る。勿論、カレンダー紙葉に限定するものではなく、背板４の大きさに切り取った写真を収容しても構わない。ケース本体１に収容されたカレンダー紙葉は、底片５に載って支えられ、そして底片５に設けた縁７と両側片６，６に設けた縁８，８に拘束されてケース本体１から外れ落ちることはない。
【００１６】
ケース本体１には２枚の脚部２ａ，２ｂが背板４の後方へ延びて起立し、該ケース本体１は僅かに後方へ傾斜した状態で転倒しないように支持されている。
また、上記ケース本体１の底片５にはベース板３が取付けられ、このベース板３はケース本体１の正面側へ延びている。ベース板３の後方端両側には小さい穴１５ａ，１５ｂが設けられ、この穴１５ａ，１５ｂには上記脚部２ａ，２ｂの先端に突出して設けた突片１７ａ，１７ｂが係合している。
【００１７】
ケース本体１の底片５の底面はベース板３の厚さに相当する深さを有す溝１８が切欠かれ、この溝１８にベース板３が嵌っている。そして、溝底には小さい突片１９が突出し、この突片１９はベース板３の中央部に設けている穴１６に係合している。
したがって、ベース板３はその後方端が両脚部２ａ，２ｂの先端と連結し、また中央部がケース本体１の底片５と連結することで安定して取付けられる。ベース板３の上面には３本の突条９ａ，９ｂ，９ｃがケース本体１と平行に設けられている。
【００１８】
ところで、本考案のカレンダーケースはケース本体１の背板４に上記脚部２ａ，２ｂ、及びベース板３が形成され、脚部２ａ，２ｂは継手１０ａ，１０ｂを介して旋回して起立し、またベース板３は背板４から切り取られ、脚部２ａ，２ｂの先端、及びケース本体１の底片５に連結して取付けられる。
【００１９】
図３、図４は背板４に上記脚部２ａ，２ｂ、及びベース板３を形成した場合の具体例であり、正面図と背面図を表している。脚部２ａ，２ｂはその基部の肉厚を薄くした継手１０ａ，１０ｂを介して背板４と連結し、その為に該継手１０ａ，１０ｂを中心として脚部２ａ，２ｂは旋回することが出来る。そして、旋回して後方へ延びて起立することでケース本体１は前記図２に示すように両脚部２ａ，２ｂによって支えられる。
【００２０】
また、ベース板３は背板４と薄肉と成っている継手部１１を介して連結しているが、該継手部１１から分離して取外すことが出来る。そして、ベース板３は前記図１、図２に示すように、脚部２ａ，２ｂの先端とケース本体１の底片５に連結して取付けられ、ケース本体１の正面側へ延びている。
このように、両脚部２ａ，２ｂ、及びベース板３は背板４の一部として形成され、その為に、脚部２ａ，２ｂが旋回して後方へ延び、ベース板３が背板４から切り取られることで、背板４には貫通した穴１２ａ，１２ｂ、１３が形成される。
【００２１】
図５は上記カレンダーケースに携帯電話機１４を立て掛けた場合を示している。携帯電話機１４の下端はベース板３に載り、上面に形成した突条９ｂに係止することで滑ることはなく、上端部はケース本体１に凭れ掛かることで安定して立掛けられる。ここで、携帯電話機１４の底が滑らないように係止する手段として突条９ａ，９ｂ，９ｂに限らず、上面から突出する凸部であればその形状は問わない。
【００２２】
そして、脚部２ａ，２ｂは継手１０ａ，１０ｂを中心として旋回してケース本体１の後方へ延び、脚部先端に設けた突片１７ａ，１７ｂがベース板３の穴１５ａ，１５ｂに係合する。従って、脚部２ａ，２ｂは所定の位置に位置決めされるが、脚部２ａ，２ｂを９０°旋回した状態で位置決めされるように構成することも出来る。
【００２３】
例えば、図３、図４に示しているように、背板側にツメ２０ａ，２０ｂを形成し、脚部２ａ，２ｂが９０°旋回したところで、該ツメ２０ａ，２０ｂが脚部２ａ，２ｂの基部に係止するように構成出来る。
脚部２ａの継手１０ａ，１０ａの間にツメ２０ａを設け、同じく脚部２ｂの継手１０ｂ，１０ｂの間にツメ２０ｂを設けている。図６（ａ）は脚部２ａが背板４と同一面にある場合を示し、この脚部２ａが９０°旋回したならば脚部２ａはツメ２０ａの先端に係止して位置決めされる。
【符号の説明】
【００２４】
１   ケース本体
２   脚部
３   ベース板
４   背板
５   底片
６   側片
７   縁
８   縁
９   突条
10   継手
11   継手部
12   穴
13   穴
14   携帯電話機
15   穴
16   穴
17   突片
18   溝
19   突片
20   ツメ
【図１】
0003193855.tif 000003
【図２】
0003193855.tif 000004
【図３】
0003193855.tif 000005
【図４】
0003193855.tif 000006
【図５】
0003193855.tif 000007
【図６】
0003193855.tif 000008